(57)【特許請求の範囲】
【請求項１】
液体が噴射されるノズルに連通する圧力発生室と、
複数の前記圧力発生室に連通するマニホールドと、
前記マニホールドの壁の少なくとも一部を形成し、前記マニホールド内の圧力変動に応じて撓むことが可能なコンプライアンス領域を有する可撓部材と、
前記可撓部材に対して前記マニホールドとは反対側に配置された蓋部材と、
前記可撓部材と前記蓋部材との間に配置されたコンプライアンス空間と、
前記可撓部材に対して前記マニホールドとは反対側であって、前記蓋部材の平面視における前記コンプライアンス領域内に配置された島部と、
を備え、
前記島部は、前記可撓部材および前記蓋部材の一方に設けられ、他方と離間しており、
前記蓋部材は、前記コンプライアンス空間側とは反対側の面に凸部を有し、
前記凸部は、前記蓋部材の平面視において、前記島部に対応する位置に配置されていることを特徴とする液体噴射ヘッド。
【請求項２】
液体が噴射されるノズルに連通する圧力発生室と、
複数の前記圧力発生室に連通するマニホールドと、
前記マニホールドの壁の少なくとも一部を形成し、前記マニホールド内の圧力変動に応じて撓むことが可能なコンプライアンス領域を有する可撓部材と、
前記可撓部材に対して前記マニホールドとは反対側に配置された蓋部材と、
前記可撓部材と前記蓋部材との間に配置されたコンプライアンス空間と、
前記可撓部材に対して前記マニホールドとは反対側であって、前記蓋部材の平面視における前記コンプライアンス領域内に配置された島部と、
を備え、
前記島部は、前記可撓部材および前記蓋部材の一方に設けられ、他方と離間しており、
前記蓋部材は、前記コンプライアンス空間側の面に凹部を有し、
前記凹部は、前記蓋部材の平面視において、前記島部に対応する位置に配置されていることを特徴とする液体噴射ヘッド。
【請求項３】
前記蓋部材は、前記コンプライアンス空間側とは反対側の面に凸部を有し、
前記凸部は、前記蓋部材の平面視において、前記島部に対応する位置に配置されていることを特徴とする請求項２記載の液体噴射ヘッド。
【請求項４】
前記島部は、前記マニホールド内に液体が充填されていない時において、前記他方と離間していることを特徴とする請求項１〜３の何れか一項に記載の液体噴射ヘッド。
【請求項５】
前記島部は、前記コンプライアンス空間の壁面のうち、前記蓋部材の面内方向を向く壁面に対して、前記面内方向において離間していることを特徴とする請求項１〜４の何れか一項に記載の液体噴射ヘッド。
【請求項６】
前記島部は、前記可撓部材に設けられていることを特徴とする請求項１〜５の何れか一項に記載の液体噴射ヘッド。
【請求項７】
前記島部は、前記蓋部材に設けられていることを特徴とする請求項１〜５の何れか一項に記載の液体噴射ヘッド。
【請求項８】
液体が噴射されるノズルに連通する圧力発生室と、
複数の前記圧力発生室に連通するマニホールドと、
一方側の面において、前記マニホールドの壁の少なくとも一部を規定し、他方側の面において接着層が形成され、前記マニホールド内の圧力変動に応じて撓むことが可能なコンプライアンス領域を接着層が形成された領域内に有する可撓部材と、
前記可撓部材を介して前記マニホールドとは反対側に配置されたコンプライアンス空間と、
前記コンプライアンス空間を介して前記可撓部材と対向する蓋部材と、
前記可撓部材と前記蓋部材との間に配置された枠部材と、
前記可撓部材と前記蓋部材との間であって、前記枠部材と離間し、前記コンプライアンス領域内に配置された島部材と、
を備え、
前記枠部材のうち、前記可撓部材と対向する側の面及び前記蓋部材と対向する側の面は、それぞれ対向する部材と固定され、
前記島部材のうち、前記可撓部材と対向する側の面及び前記蓋部材と対向する側の面の一方は、対向する部材と固定され、他方は対向する部材と固定されておらず、
前記可撓部材と前記蓋部材とが対向する方向において、前記島部材の厚みは、前記枠部材の厚みよりも薄く、
前記コンプライアンス領域が、長手方向と短手方向とで規定されると仮定した場合に、前記島部材は、前記コンプライアンス領域のうち、前記短手方向の中心をずらして配置されていることを特徴とする液体噴射ヘッド。
【請求項９】
前記島部材は、前記短手方向の中心を挟むように複数設けられていることを特徴とする請求項８記載の液体噴射ヘッド。
【請求項１０】
液体が噴射されるノズルに連通する圧力発生室と、
複数の前記圧力発生室に連通するマニホールドと、
一方側の面において、前記マニホールドの壁の少なくとも一部を規定し、他方側の面において接着層が形成され、前記マニホールド内の圧力変動に応じて撓むことが可能なコンプライアンス領域を接着層が形成された領域内に有する可撓部材と、
前記可撓部材を介して前記マニホールドとは反対側に配置されたコンプライアンス空間と、
前記コンプライアンス空間を介して前記可撓部材と対向する蓋部材と、
前記可撓部材と前記蓋部材との間に配置された枠部材と、
前記可撓部材と前記蓋部材との間であって、前記枠部材と離間し、前記コンプライアンス領域内に配置された島部材と、
を備え、
前記枠部材のうち、前記可撓部材と対向する側の面及び前記蓋部材と対向する側の面は、それぞれ対向する部材と固定され、
前記島部材のうち、前記可撓部材と対向する側の面及び前記蓋部材と対向する側の面の一方は、対向する部材と固定され、他方は対向する部材と固定されておらず、
前記可撓部材と前記蓋部材とが対向する方向において、前記島部材の厚みは、前記枠部材の厚みよりも薄く、
前記島部材は、前記可撓部材と固定されており、
前記蓋部材のうち、前記島部材と対向する領域は、撥水処理されており、
前記蓋部材のうち、前記島部材と対向しない領域は、撥水処理されていないことを特徴とする液体噴射ヘッド。
【請求項１１】
液体が噴射されるノズルに連通する圧力発生室と、
複数の前記圧力発生室に連通するマニホールドと、
一方側の面において、前記マニホールドの壁の少なくとも一部を規定し、他方側の面において接着層が形成され、前記マニホールド内の圧力変動に応じて撓むことが可能なコンプライアンス領域を接着層が形成された領域内に有する可撓部材と、
前記可撓部材を介して前記マニホールドとは反対側に配置されたコンプライアンス空間と、
前記コンプライアンス空間を介して前記可撓部材と対向する蓋部材と、
前記可撓部材と前記蓋部材との間に配置された枠部材と、
前記可撓部材と前記蓋部材との間であって、前記枠部材と離間し、前記コンプライアンス領域内に配置された島部材と、
を備え、
前記枠部材のうち、前記可撓部材と対向する側の面及び前記蓋部材と対向する側の面は、それぞれ対向する部材と固定され、
前記島部材のうち、前記可撓部材と対向する側の面及び前記蓋部材と対向する側の面の一方は、対向する部材と固定され、他方は対向する部材と固定されておらず、
前記可撓部材と前記蓋部材とが対向する方向において、前記島部材の厚みは、前記枠部材の厚みよりも薄く、
前記島部材は、前記可撓部材と固定されており、
前記蓋部材のうち、前記島部材と対向する領域は、前記島部材と対向しない領域よりも窪んでいることを特徴とする液体噴射ヘッド。
【請求項１２】
液体が噴射されるノズルに連通する圧力発生室と、
複数の前記圧力発生室に連通するマニホールドと、
一方側の面において、前記マニホールドの壁の少なくとも一部を規定し、他方側の面において接着層が形成され、前記マニホールド内の圧力変動に応じて撓むことが可能なコンプライアンス領域を接着層が形成された領域内に有する可撓部材と、
前記可撓部材を介して前記マニホールドとは反対側に配置されたコンプライアンス空間と、
前記コンプライアンス空間を介して前記可撓部材と対向する蓋部材と、
前記可撓部材と前記蓋部材との間に配置された枠部材と、
前記可撓部材と前記蓋部材との間であって、前記枠部材と離間し、前記コンプライアンス領域内に配置された島部材と、
を備え、
前記枠部材のうち、前記可撓部材と対向する側の面及び前記蓋部材と対向する側の面は、それぞれ対向する部材と固定され、
前記島部材のうち、前記可撓部材と対向する側の面及び前記蓋部材と対向する側の面の一方は、対向する部材と固定され、他方は対向する部材と固定されておらず、
前記可撓部材と前記蓋部材とが対向する方向において、前記島部材の厚みは、前記枠部材の厚みよりも薄く、
前記島部材のうち、対向する部材と固定されていない側の面の少なくとも一部は撥水処理されていることを特徴とする液体噴射ヘッド。
【請求項１３】
液体が噴射されるノズルに連通する圧力発生室と、
複数の前記圧力発生室に連通するマニホールドと、
一方側の面において、前記マニホールドの壁の少なくとも一部を規定し、他方側の面において接着層が形成され、前記マニホールド内の圧力変動に応じて撓むことが可能なコンプライアンス領域を接着層が形成された領域内に有する可撓部材と、
前記可撓部材を介して前記マニホールドとは反対側に配置されたコンプライアンス空間と、
前記コンプライアンス空間を介して前記可撓部材と対向する蓋部材と、
前記可撓部材と前記蓋部材との間に配置された枠部材と、
前記可撓部材と前記蓋部材との間であって、前記枠部材と離間し、前記コンプライアンス領域内に配置された島部材と、
を備え、
前記枠部材のうち、前記可撓部材と対向する側の面及び前記蓋部材と対向する側の面は、それぞれ対向する部材と固定され、
前記島部材のうち、前記可撓部材と対向する側の面及び前記蓋部材と対向する側の面の一方は、対向する部材と固定され、他方は対向する部材と固定されておらず、
前記可撓部材と前記蓋部材とが対向する方向において、前記島部材の厚みは、前記枠部材の厚みよりも薄く、
前記島部材のうち、対向する部材と固定されない側の面は凹凸を有することを特徴とする液体噴射ヘッド。
【請求項１４】
液体が噴射されるノズルに連通する圧力発生室と、
複数の前記圧力発生室に連通するマニホールドと、
一方側の面において、前記マニホールドの壁の少なくとも一部を規定し、他方側の面において接着層が形成され、前記マニホールド内の圧力変動に応じて撓むことが可能なコンプライアンス領域を接着層が形成された領域内に有する可撓部材と、
前記可撓部材を介して前記マニホールドとは反対側に配置されたコンプライアンス空間と、
前記コンプライアンス空間を介して前記可撓部材と対向する蓋部材と、
前記可撓部材と前記蓋部材との間に配置された枠部材と、
前記可撓部材と前記蓋部材との間であって、前記枠部材と離間し、前記コンプライアンス領域内に配置された島部材と、
を備え、
前記枠部材のうち、前記可撓部材と対向する側の面及び前記蓋部材と対向する側の面は、それぞれ対向する部材と固定され、
前記島部材のうち、前記可撓部材と対向する側の面及び前記蓋部材と対向する側の面の一方は、対向する部材と固定され、他方は対向する部材と固定されておらず、
前記可撓部材と前記蓋部材とが対向する方向において、前記島部材の厚みは、前記枠部材の厚みよりも薄く、
前記枠部材は、片持ち梁を有し、
前記片持ち梁は、前記コンプライアンス領域の前記可撓部材と少なくとも一部で固定され、且つ、先端側には前記蓋部材と固定されない非固定領域を有し、
前記島部材の厚みは、前記片持ち梁の前記非固定領域と同じ厚みであることを特徴とする液体噴射ヘッド。
【請求項１５】
前記島部材は、前記可撓部材と固定されており、
前記マニホールド内に液体が充填されていない時において、前記島部材は、前記蓋部材と離間していることを特徴とする請求項８〜請求項１４の何れか一項に記載の液体噴射ヘッド。
【請求項１６】
前記蓋部材のうち、前記島部材と対向する領域は、撥水処理されていることを特徴とする請求項１５記載の液体噴射ヘッド。
【請求項１７】
前記島部材のうち、対向する部材と固定されていない側の面の少なくとも一部は撥水処理されていることを特徴とする請求項８〜１６の何れか一項に記載の液体噴射ヘッド。
【請求項１８】
前記島部材のうち、対向する部材と固定されない側の面は凹凸を有することを特徴とする請求項８〜１７の何れか一項に記載の液体噴射ヘッド。
【請求項１９】
前記枠部材と前記島部材とは同じ材料で形成されていることを特徴とする請求項８〜１８の何れか一項に記載の液体噴射ヘッド。
【請求項２０】
請求項１〜１９の何れか一項に記載の液体噴射ヘッドを具備することを特徴とする液体噴射装置。
【発明の詳細な説明】
【技術分野】
【０００１】
本発明は、ノズルから液体を噴射する液体噴射ヘッド及び液体噴射装置に関し、特に液体としてインクを噴射するインクジェット式記録ヘッド及びインクジェット式記録装置に関する。
【背景技術】
【０００２】
液滴を噴射する液体噴射ヘッドの代表例であるインクジェット式記録ヘッドとしては、例えば、ノズルと、ノズルに連通する圧力発生室等の流路と、を具備し、圧力発生手段によって圧力発生室内のインクに圧力変化を生じさせることで、ノズルからインク滴を吐出させるものがある。
【０００３】
かかるインクジェット式記録ヘッドでは、可撓性を有するフィルムによって複数の圧力発生室が連通するマニホールドの一部を画成し、フィルムを変形させることによりマニホールド内の液体の圧力変動を吸収する、所謂コンプライアンス部を設けたものが提案されている（例えば、特許文献１参照）。
【先行技術文献】
【特許文献】
【０００４】
【特許文献１】特開２００６−９５７２５号公報
【発明の概要】
【発明が解決しようとする課題】
【０００５】
しかしながら、コンプライアンス部となるフィルムを貼り付ける工程などの製造時にフィルムに撓みが生じ、撓んだフィルムがコンプライアンス部との間に空間を画成する他の部材（蓋部材）に結露等で貼り付いてしまい、コンプライアンス部が機能しなくなるという問題がある。
【０００６】
特に、フィルムは接着剤で接合しているため、高温・高湿環境によって接着剤の粘着力が復元され、フィルムが他の部材（蓋部材）に接着剤によって貼り付いてしまうという問題がある。
【０００７】
なお、このような問題はインクジェット式記録ヘッドだけではなく、インク以外の液体を噴射する液体噴射装置においても同様に存在する。
【０００８】
本発明はこのような事情に鑑み、コンプライアンス領域の蓋部材への貼り付けを抑制して、コンプライアンス領域の貼り付きによる動作不良を低減することができる液体噴射ヘッド及び液体噴射装置を提供することを目的とする。
【課題を解決するための手段】
【０００９】
［態様１］本発明の態様は、液体が噴射されるノズルに連通する圧力発生室と、複数の前記圧力発生室に連通するマニホールドと、前記マニホールドの壁の少なくとも一部を形成し、前記マニホールド内の圧力変動に応じて撓むことが可能なコンプライアンス領域を有する可撓部材と、前記可撓部材に対して前記マニホールドとは反対側に配置された蓋部材と、前記可撓部材と前記蓋部材との間に配置されたコンプライアンス空間と、前記可撓部材に対して前記マニホールドとは反対側であって、前記蓋部材の平面視における前記コンプライアンス領域内に配置された島部と、を備え、前記島部は、前記可撓部材および前記蓋部材の一方に設けられ、他方と離間しており、前記蓋部材は、前記コンプライアンス空間側とは反対側の面に凸部を有し、前記凸部は、前記蓋部材の平面視において、前記島部に対応する位置に配置されていることを特徴とする液体噴射ヘッドにある。
かかる態様では、島部が可撓部材及び蓋部材の一方に設けられ他方と離間していることで、コンプライアンス領域をマニホールドの内側に大きく撓み変形させることができ、コンプライアンス領域によるマニホールド内の圧力吸収を確実に行うことができる。さらに、島部が他方と離間していることで、島部と他方との間に隙間が設けられ、コンプライアンス領域の蓋部材側への変形量が低下するのを抑制することができる。
また、蓋部材は島部に対応する位置に凸部を有することで、コンプライアンス領域が蓋部材側へ変形した際に、島部が他方と当接する位置を遠ざけやすい。よって、コンプライアンス領域の変形量を増やすことができる。
【００１０】
［態様２］本発明の態様は、液体が噴射されるノズルに連通する圧力発生室と、複数の前記圧力発生室に連通するマニホールドと、前記マニホールドの壁の少なくとも一部を形成し、前記マニホールド内の圧力変動に応じて撓むことが可能なコンプライアンス領域を有する可撓部材と、前記可撓部材に対して前記マニホールドとは反対側に配置された蓋部材と、前記可撓部材と前記蓋部材との間に配置されたコンプライアンス空間と、前記可撓部材に対して前記マニホールドとは反対側であって、前記蓋部材の平面視における前記コンプライアンス領域内に配置された島部と、を備え、前記島部は、前記可撓部材および前記蓋部材の一方に設けられ、他方と離間しており、前記蓋部材は、前記コンプライアンス空間側の面に凹部を有し、前記凹部は、前記蓋部材の平面視において、前記島部に対応する位置に配置されていることを特徴とする液体噴射ヘッドにある。
かかる態様では、島部が可撓部材及び蓋部材の一方に設けられ他方と離間していることで、コンプライアンス領域をマニホールドの内側に大きく撓み変形させることができ、コンプライアンス領域によるマニホールド内の圧力吸収を確実に行うことができる。さらに、島部が他方と離間していることで、島部と他方との間に隙間が設けられ、コンプライアンス領域の蓋部材側への変形量が低下するのを抑制することができる。
また、蓋部材は、島部に対応する位置に凹部を有することで、コンプライアンス領域が蓋部材側へ変形した際に、島部が他方と当接する位置を遠ざけて、コンプライアンス領域の変形量を増やすことができる。
【００１１】
［態様３］ここで、態様２の液体噴射ヘッドにおいて、前記蓋部材は、前記コンプライアンス空間側とは反対側の面に凸部を有し、前記凸部は、前記蓋部材の平面視において、前記島部に対応する位置に配置されていることが好ましい。これによれば、コンプライアンス領域が蓋部材側へ変形した際に、島部が他方と当接する位置を遠ざけやすい。よって、コンプライアンス領域の変形量を増やすことができる。
【００１２】
［態様４］また、態様１〜態様３の液体噴射ヘッドにおいて、前記島部は、前記マニホールド内に液体が充填されていない時において、前記他方と離間していることが好ましい。これによれば、搬送時等において、島部と蓋部材とが当接するのを抑制して、結露等によって島部と蓋部材とが貼り付くのを抑制することができる。
【００１３】
［態様５］また、態様１〜態様４の液体噴射ヘッドにおいて、前記島部は、前記コンプライアンス空間の壁面のうち、前記蓋部材の面内方向を向く壁面に対して、前記面内方向において離間していることが好ましい。これによれば、コンプライアンス領域の変形量が低下するのを抑制することができる。
【００１４】
［態様６］また、態様１〜態様５の液体噴射ヘッドにおいて、前記島部は、前記可撓部材に設けられていることが好ましい。これによれば、島部と蓋部材との間に隙間が設けられ、コンプライアンス領域の蓋部材側への変形量が低下するのを抑制することができる。
【００１５】
［態様７］また、態様１〜態様５の液体噴射ヘッドにおいて、前記島部は、前記蓋部材に設けられていることが好ましい。これによれば、島部と可撓部材との間に隙間が設けられ、コンプライアンス領域の蓋部材側への変形量が低下するのを抑制することができる。
【００１６】
［態様８］本発明の態様は、液体が噴射されるノズルに連通する圧力発生室と、複数の前記圧力発生室に連通するマニホールドと、一方側の面において、前記マニホールドの壁の少なくとも一部を規定し、他方側の面において接着層が形成され、前記マニホールド内の圧力変動に応じて撓むことが可能なコンプライアンス領域を接着層が形成された領域内に有する可撓部材と、前記可撓部材を介して前記マニホールドとは反対側に配置されたコンプライアンス空間と、前記コンプライアンス空間を介して前記可撓部材と対向する蓋部材と、前記可撓部材と前記蓋部材との間に配置された枠部材と、前記可撓部材と前記蓋部材との間であって、前記枠部材と離間し、前記コンプライアンス領域内に配置された島部材と、を備え、前記枠部材のうち、前記可撓部材と対向する側の面及び前記蓋部材と対向する側の面は、それぞれ対向する部材と固定され、前記島部材のうち、前記可撓部材と対向する側の面及び前記蓋部材と対向する側の面の一方は、対向する部材と固定され、他方は対向する部材と固定されておらず、前記可撓部材と前記蓋部材とが対向する方向において、前記島部材の厚みは、前記枠部材の厚みよりも薄く、前記コンプライアンス領域が、長手方向と短手方向とで規定されると仮定した場合に、前記島部材は、前記コンプライアンス領域のうち、前記短手方向の中心をずらして配置されていることを特徴とする液体噴射ヘッドにある。
かかる態様では、島部材を設けることで、可撓部材のコンプライアンス領域が蓋部材に当接して貼り付くのを抑制して、可撓部材のコンプライアンス領域が蓋部材に貼り付くことによる動作不良を抑制することができる。また、島部材を可撓部材及び蓋部材の何れか一方と固定しないことで、コンプライアンス領域をマニホールドの内側に大きく撓み変形させることができ、コンプライアンス領域によるマニホールド内の圧力吸収を確実に行うことができる。さらに、島部材を枠部材の厚さよりも薄くすることで、コンプライアンス領域の蓋部材側への変形量が低下するのを抑制することができる。
また、島部材は、コンプライアンス領域のうち短手方向の中心をずらして配置されていることで、コンプライアンス領域の最も変形量が大きな中央部分の変形を島部材が拘束するのを抑制して、コンプライアンス領域の変形量が低下するのを抑制することができる。
【００１７】
［態様９］ここで、態様８の液体噴射ヘッドにおいて、前記島部材は、前記短手方向の中心を挟むように複数設けられていることが好ましい。これによれば、島部材によってコンプライアンス領域の蓋部材への貼り付きを確実に抑制することができる。
【００１８】
［態様１０］本発明の態様は、液体が噴射されるノズルに連通する圧力発生室と、複数の前記圧力発生室に連通するマニホールドと、一方側の面において、前記マニホールドの壁の少なくとも一部を規定し、他方側の面において接着層が形成され、前記マニホールド内の圧力変動に応じて撓むことが可能なコンプライアンス領域を接着層が形成された領域内に有する可撓部材と、前記可撓部材を介して前記マニホールドとは反対側に配置されたコンプライアンス空間と、前記コンプライアンス空間を介して前記可撓部材と対向する蓋部材と、前記可撓部材と前記蓋部材との間に配置された枠部材と、前記可撓部材と前記蓋部材との間であって、前記枠部材と離間し、前記コンプライアンス領域内に配置された島部材と、を備え、前記枠部材のうち、前記可撓部材と対向する側の面及び前記蓋部材と対向する側の面は、それぞれ対向する部材と固定され、前記島部材のうち、前記可撓部材と対向する側の面及び前記蓋部材と対向する側の面の一方は、対向する部材と固定され、他方は対向する部材と固定されておらず、前記可撓部材と前記蓋部材とが対向する方向において、前記島部材の厚みは、前記枠部材の厚みよりも薄く、前記島部材は、前記可撓部材と固定されており、前記蓋部材のうち、前記島部材と対向する領域は、撥水処理されており、前記蓋部材のうち、前記島部材と対向しない領域は、撥水処理されていないことを特徴とする液体噴射ヘッドにある。
かかる態様では、島部材を設けることで、可撓部材のコンプライアンス領域が蓋部材に当接して貼り付くのを抑制して、可撓部材のコンプライアンス領域が蓋部材に貼り付くことによる動作不良を抑制することができる。また、島部材を可撓部材及び蓋部材の何れか一方と固定しないことで、コンプライアンス領域をマニホールドの内側に大きく撓み変形させることができ、コンプライアンス領域によるマニホールド内の圧力吸収を確実に行うことができる。さらに、島部材を枠部材の厚さよりも薄くすることで、コンプライアンス領域の蓋部材側への変形量が低下するのを抑制することができる。
また、島部材は、可撓部材と固定されていることで、島部材の自重によってコンプライアンス領域を蓋部材側に引っ張ることができ、コンプライアンス領域のマニホールド内への変形量を大きく確保することができる。
また、蓋部材の島部材と対向する領域は、撥水処理されていることで、結露等の水分が蓋部材に付着するのを抑制して、島部材と蓋部材とが水分によって貼り付くのを抑制することができる。
また、蓋部材の島部材と対向しない領域は、撥水処理されていないことで、蓋部材の撥水処理されていない領域に水分を保持することができ、撥水された領域に水分が付着するのをさらに抑制して、水分による島部材と蓋部材との貼り付きを抑制することができる。
【００１９】
［態様１１］本発明の態様は、液体が噴射されるノズルに連通する圧力発生室と、複数の前記圧力発生室に連通するマニホールドと、一方側の面において、前記マニホールドの壁の少なくとも一部を規定し、他方側の面において接着層が形成され、前記マニホールド内の圧力変動に応じて撓むことが可能なコンプライアンス領域を接着層が形成された領域内に有する可撓部材と、前記可撓部材を介して前記マニホールドとは反対側に配置されたコンプライアンス空間と、前記コンプライアンス空間を介して前記可撓部材と対向する蓋部材と、前記可撓部材と前記蓋部材との間に配置された枠部材と、前記可撓部材と前記蓋部材との間であって、前記枠部材と離間し、前記コンプライアンス領域内に配置された島部材と、を備え、前記枠部材のうち、前記可撓部材と対向する側の面及び前記蓋部材と対向する側の面は、それぞれ対向する部材と固定され、前記島部材のうち、前記可撓部材と対向する側の面及び前記蓋部材と対向する側の面の一方は、対向する部材と固定され、他方は対向する部材と固定されておらず、前記可撓部材と前記蓋部材とが対向する方向において、前記島部材の厚みは、前記枠部材の厚みよりも薄く、前記島部材は、前記可撓部材と固定されており、前記蓋部材のうち、前記島部材と対向する領域は、前記島部材と対向しない領域よりも窪んでいることを特徴とする液体噴射ヘッドにある。
かかる態様では、島部材を設けることで、可撓部材のコンプライアンス領域が蓋部材に当接して貼り付くのを抑制して、可撓部材のコンプライアンス領域が蓋部材に貼り付くことによる動作不良を抑制することができる。また、島部材を可撓部材及び蓋部材の何れか一方と固定しないことで、コンプライアンス領域をマニホールドの内側に大きく撓み変形させることができ、コンプライアンス領域によるマニホールド内の圧力吸収を確実に行うことができる。さらに、島部材を枠部材の厚さよりも薄くすることで、コンプライアンス領域の蓋部材側への変形量が低下するのを抑制することができる。
また、島部材は、可撓部材と固定されていることで、島部材の自重によってコンプライアンス領域を蓋部材側に引っ張ることができ、コンプライアンス領域のマニホールド内への変形量を大きく確保することができる。
また、蓋部材の島部材と対向する領域は、島部材と対向しない領域よりも窪んでいることで、島部材が蓋部材の窪んだ部分に当接し、コンプライアンス領域をさらに蓋部材側に変形させて変形量を増大させることができる。
【００２０】
［態様１２］本発明の態様は、液体が噴射されるノズルに連通する圧力発生室と、複数の前記圧力発生室に連通するマニホールドと、一方側の面において、前記マニホールドの壁の少なくとも一部を規定し、他方側の面において接着層が形成され、前記マニホールド内の圧力変動に応じて撓むことが可能なコンプライアンス領域を接着層が形成された領域内に有する可撓部材と、前記可撓部材を介して前記マニホールドとは反対側に配置されたコンプライアンス空間と、前記コンプライアンス空間を介して前記可撓部材と対向する蓋部材と、前記可撓部材と前記蓋部材との間に配置された枠部材と、前記可撓部材と前記蓋部材との間であって、前記枠部材と離間し、前記コンプライアンス領域内に配置された島部材と、を備え、前記枠部材のうち、前記可撓部材と対向する側の面及び前記蓋部材と対向する側の面は、それぞれ対向する部材と固定され、前記島部材のうち、前記可撓部材と対向する側の面及び前記蓋部材と対向する側の面の一方は、対向する部材と固定され、他方は対向する部材と固定されておらず、前記可撓部材と前記蓋部材とが対向する方向において、前記島部材の厚みは、前記枠部材の厚みよりも薄く、前記島部材のうち、対向する部材と固定されていない側の面の少なくとも一部は撥水処理されていることを特徴とする液体噴射ヘッドにある。
かかる態様では、島部材を設けることで、可撓部材のコンプライアンス領域が蓋部材に当接して貼り付くのを抑制して、可撓部材のコンプライアンス領域が蓋部材に貼り付くことによる動作不良を抑制することができる。また、島部材を可撓部材及び蓋部材の何れか一方と固定しないことで、コンプライアンス領域をマニホールドの内側に大きく撓み変形させることができ、コンプライアンス領域によるマニホールド内の圧力吸収を確実に行うことができる。さらに、島部材を枠部材の厚さよりも薄くすることで、コンプライアンス領域の蓋部材側への変形量が低下するのを抑制することができる。
また、島部材のうち、対向する部材と固定されていない側の面の少なくとも一部は撥水処理されていることで、結露等の水分が島部材の固定されていない側の面に付着するのを抑制して、島部材と固定されていない部材との水分による貼り付きを抑制することができる。
【００２１】
［態様１３］本発明の態様は、液体が噴射されるノズルに連通する圧力発生室と、複数の前記圧力発生室に連通するマニホールドと、一方側の面において、前記マニホールドの壁の少なくとも一部を規定し、他方側の面において接着層が形成され、前記マニホールド内の圧力変動に応じて撓むことが可能なコンプライアンス領域を接着層が形成された領域内に有する可撓部材と、前記可撓部材を介して前記マニホールドとは反対側に配置されたコンプライアンス空間と、前記コンプライアンス空間を介して前記可撓部材と対向する蓋部材と、前記可撓部材と前記蓋部材との間に配置された枠部材と、前記可撓部材と前記蓋部材との間であって、前記枠部材と離間し、前記コンプライアンス領域内に配置された島部材と、を備え、前記枠部材のうち、前記可撓部材と対向する側の面及び前記蓋部材と対向する側の面は、それぞれ対向する部材と固定され、前記島部材のうち、前記可撓部材と対向する側の面及び前記蓋部材と対向する側の面の一方は、対向する部材と固定され、他方は対向する部材と固定されておらず、前記可撓部材と前記蓋部材とが対向する方向において、前記島部材の厚みは、前記枠部材の厚みよりも薄く、前記島部材のうち、対向する部材と固定されない側の面は凹凸を有することを特徴とする液体噴射ヘッドにある。
かかる態様では、島部材を設けることで、可撓部材のコンプライアンス領域が蓋部材に当接して貼り付くのを抑制して、可撓部材のコンプライアンス領域が蓋部材に貼り付くことによる動作不良を抑制することができる。また、島部材を可撓部材及び蓋部材の何れか一方と固定しないことで、コンプライアンス領域をマニホールドの内側に大きく撓み変形させることができ、コンプライアンス領域によるマニホールド内の圧力吸収を確実に行うことができる。さらに、島部材を枠部材の厚さよりも薄くすることで、コンプライアンス領域の蓋部材側への変形量が低下するのを抑制することができる。
また、島部材のうち、対向する部材と固定されない側の面は凹凸を有することで、島部材と固定されていない部材との接触面積を減少させて、島部材と固定されていない部材との貼り付きを抑制することができる。
【００２２】
［態様１４］本発明の態様は、液体が噴射されるノズルに連通する圧力発生室と、複数の前記圧力発生室に連通するマニホールドと、一方側の面において、前記マニホールドの壁の少なくとも一部を規定し、他方側の面において接着層が形成され、前記マニホールド内の圧力変動に応じて撓むことが可能なコンプライアンス領域を接着層が形成された領域内に有する可撓部材と、前記可撓部材を介して前記マニホールドとは反対側に配置されたコンプライアンス空間と、前記コンプライアンス空間を介して前記可撓部材と対向する蓋部材と、前記可撓部材と前記蓋部材との間に配置された枠部材と、前記可撓部材と前記蓋部材との間であって、前記枠部材と離間し、前記コンプライアンス領域内に配置された島部材と、を備え、前記枠部材のうち、前記可撓部材と対向する側の面及び前記蓋部材と対向する側の面は、それぞれ対向する部材と固定され、前記島部材のうち、前記可撓部材と対向する側の面及び前記蓋部材と対向する側の面の一方は、対向する部材と固定され、他方は対向する部材と固定されておらず、前記可撓部材と前記蓋部材とが対向する方向において、前記島部材の厚みは、前記枠部材の厚みよりも薄く、前記枠部材は、片持ち梁を有し、前記片持ち梁は、前記コンプライアンス領域の前記可撓部材と少なくとも一部で固定され、且つ、先端側には前記蓋部材と固定されない非固定領域を有し、前記島部材の厚みは、前記片持ち梁の前記非固定領域と同じ厚みであることを特徴とする液体噴射ヘッドにある。
かかる態様では、島部材を設けることで、可撓部材のコンプライアンス領域が蓋部材に当接して貼り付くのを抑制して、可撓部材のコンプライアンス領域が蓋部材に貼り付くことによる動作不良を抑制することができる。また、島部材を可撓部材及び蓋部材の何れか一方と固定しないことで、コンプライアンス領域をマニホールドの内側に大きく撓み変形させることができ、コンプライアンス領域によるマニホールド内の圧力吸収を確実に行うことができる。さらに、島部材を枠部材の厚さよりも薄くすることで、コンプライアンス領域の蓋部材側への変形量が低下するのを抑制することができる。
また、片持ち梁を設けることによって、コンプライアンス領域が変形し難くして、マニホールド内の圧力変化に応じてコンプライアンス領域が急激に変形し切ることによるコンプライアンス領域のばらつきを抑制して、液体の噴射特性のばらつきを抑制することができる。また、片持ち梁の非固定領域と島部材との厚さを同じ厚さとすることで、片持ち梁及び島部材を容易に形成することができる。
【００２３】
［態様１５］ここで、態様８〜態様１４の液体噴射ヘッドにおいて、前記島部材は、前記可撓部材と固定されており、前記マニホールド内に液体が充填されていない時において、前記島部材は、前記蓋部材と離間していることが好ましい。これによれば、島部材は、可撓部材と固定されていることで、島部材の自重によってコンプライアンス領域を蓋部材側に引っ張ることができ、コンプライアンス領域のマニホールド内への変形量を大きく確保することができる。また、マニホールド内に液体が充填されていない時において、島部材は、蓋部材と離間していることで、搬送時等において、島部材と蓋部材とが当接するのを抑制して、結露等によって島部材と蓋部材とが貼り付くのを抑制することができる。
【００２４】
［態様１６］また、態様１５の液体噴射ヘッドにおいて、前記蓋部材のうち、前記島部材と対向する領域は、撥水処理されていることが好ましい。これによれば、結露等の水分が蓋部材に付着するのを抑制して、島部材と蓋部材とが水分によって貼り付くのを抑制することができる。
【００２５】
［態様１７］また、態様８〜態様１６の液体噴射ヘッドにおいて、前記島部材のうち、対向する部材と固定されていない側の面の少なくとも一部は撥水処理されていることが好ましい。これによれば、結露等の水分が島部材の固定されていない側の面に付着するのを抑制して、島部材と固定されていない部材との水分による貼り付きを抑制することができる。
【００２６】
［態様１８］また、態様８〜態様１７の液体噴射ヘッドにおいて、前記島部材のうち、対向する部材と固定されない側の面は凹凸を有することが好ましい。これによれば、島部材と固定されていない部材との接触面積を減少させて、島部材と固定されていない部材との貼り付きを抑制することができる。
【００２７】
［態様１９］また、態様８〜態様１８の液体噴射ヘッドにおいて、前記枠部材と前記島部材とは同じ材料で形成されていることが好ましい。これによれば、同じ材料によって枠部材と島部材とを同時に且つ容易に形成することができる。
【００２８】
［態様２０］さらに、態様１〜態様１９の液体噴射ヘッドにおいて、本発明の他の態様は、上記態様の液体噴射ヘッドを具備することを特徴とする液体噴射装置にある。
かかる態様では、コンプライアンス領域の貼り付きを抑制して、コンプライアンス領域の貼り付きによる動作不良を低減した液体噴射装置を実現できる。
【００２９】
［態様２１］本発明の態様は、液体が噴射されるノズルに連通する複数の圧力発生室と、前記複数の圧力発生室に連通するマニホールドと、前記マニホールドの壁の少なくとも一部を形成し、前記マニホールド内の圧力変動に応じて撓むことが可能なコンプライアンス領域を有する可撓部材と、前記可撓部材に対して前記マニホールドとは反対側に配置された蓋部材と、前記可撓部材と前記蓋部材との間に配置されたコンプライアンス空間と、前記可撓部材に対して前記マニホールドとは反対側であって、前記蓋部材の平面視における前記コンプライアンス領域内に配置された島部と、を備え、前記島部は、前記可撓部材および前記蓋部材の一方に設けられ、他方と離間している液体噴射ヘッドにある。
かかる態様では、島部が可撓部材及び蓋部材の一方に設けられ他方と離間していることで、コンプライアンス領域をマニホールドの内側に大きく撓み変形させることができ、コンプライアンス領域によるマニホールド内の圧力吸収を確実に行うことができる。さらに、島部が他方と離間していることで、島部と他方との間に隙間が設けられ、コンプライアンス領域の蓋部材側への変形量が低下するのを抑制することができる。
【００３０】
［態様２２］ここで、態様２１の液体噴射ヘッドにおいて、前記島部は、前記マニホールド内に液体が充填されていない時において、前記他方と離間していることが好ましい。これによれば、搬送時等において、島部と蓋部材とが当接するのを抑制して、結露等によって島部と蓋部材とが貼り付くのを抑制することができる。
【００３１】
［態様２３］ここで、態様２１または態様２２の液体噴射ヘッドにおいて、前記蓋部材は、前記コンプライアンス空間側の面に凹部を有し、前記凹部は、前記蓋部材の平面視において、前記島部に対応する位置に配置されていることが好ましい。これによれば、コンプライアンス領域が蓋部材側へ変形した際に、島部が他方と当接する位置を遠ざけて、コンプライアンス領域の変形量を増やすことができる。
【００３２】
［態様２４］ここで、態様２１〜態様２３の液体噴射ヘッドにおいて、前記蓋部材は、前記コンプライアンス空間側とは反対側の面に凸部を有し、前記凸部は、前記蓋部材の平面視において、前記島部に対応する位置に配置されていることが好ましい。これによれば、コンプライアンス領域が蓋部材側へ変形した際に、島部が他方と当接する位置を遠ざけやすい。よって、コンプライアンス領域の変形量を増やすことができる。
【００３３】
［態様２５］ここで、態様２１〜態様２４の液体噴射ヘッドにおいて、前記島部は、前記コンプライアンス空間の壁面のうち、前記蓋部材の面内方向を向く壁面に対して、前記面内方向において離間していることが好ましい。これによれば、コンプライアンス領域の変形量が低下するのを抑制することができる。
【００３４】
［態様２６］ここで、態様２１〜態様２５の液体噴射ヘッドにおいて、前記島部は、前記可撓部材に設けられていることが好ましい。これによれば、島部と蓋部材との間に隙間が設けられ、コンプライアンス領域の蓋部材側への変形量が低下するのを抑制することができる。
【００３５】
［態様２７］ここで、態様２１〜態様２５の液体噴射ヘッドにおいて、前記島部は、前記蓋部材に設けられていることが好ましい。これによれば、島部と可撓部材との間に隙間が設けられ、コンプライアンス領域の蓋部材側への変形量が低下するのを抑制することができる。
【００３６】
［態様２８］本発明の態様は、液体が噴射されるノズルに連通する複数の圧力発生室と、前記複数の圧力発生室に連通するマニホールドと、一方側の面において、前記マニホールドの壁の少なくとも一部を規定し、他方側の面において接着層が形成され、前記マニホールド内の圧力変動に応じて撓むことが可能なコンプライアンス領域を接着層が形成された領域内に有する可撓部材と、前記可撓部材を介して前記マニホールドとは反対側に配置されたコンプライアンス空間と、前記コンプライアンス空間を介して前記可撓部材と対向する蓋部材と、前記可撓部材と前記蓋部材との間に配置された枠部材と、前記可撓部材と前記蓋部材との間であって、前記枠部材と離間し、前記コンプライアンス領域内に配置された島部材と、を備え、前記枠部材のうち、前記可撓部材と対向する側の面及び前記蓋部材と対向する側の面は、それぞれ対向する部材と固定され、前記島部材のうち、前記可撓部材と対向する側の面及び前記蓋部材と対向する側の面の一方は、対向する部材と固定され、他方は対向する部材と固定されておらず、前記可撓部材と前記蓋部材とが対向する方向において、前記島部材の厚みは、前記枠部材の厚みよりも薄いことを特徴とする液体噴射ヘッドにある。
かかる態様では、島部材を設けることで、可撓部材のコンプライアンス領域が蓋部材に当接して貼り付くのを抑制して、可撓部材のコンプライアンス領域が蓋部材に貼り付くことによる動作不良を抑制することができる。また、島部材を可撓部材及び蓋部材の何れか一方と固定しないことで、コンプライアンス領域をマニホールドの内側に大きく撓み変形させることができ、コンプライアンス領域によるマニホールド内の圧力吸収を確実に行うことができる。さらに、島部材を枠部材の厚さよりも薄くすることで、コンプライアンス領域の蓋部材側への変形量が低下するのを抑制することができる。
【００３７】
［態様２９］ここで、態様２８の液体噴射ヘッドにおいて、前記コンプライアンス領域が、長手方向と短手方向とで規定されると仮定した場合に、前記島部材は、前記コンプライアンス領域のうち、前記短手方向の中心をずらして配置されていることが好ましい。これによれば、コンプライアンス領域の最も変形量が大きな中央部分の変形を島部材が拘束するのを抑制して、コンプライアンス領域の変形量が低下するのを抑制することができる。
【００３８】
［態様３０］また、態様２９の液体噴射ヘッドにおいて、前記島部材は、前記短手方向の中心を挟むように複数設けられていることが好ましい。これによれば、島部材によってコンプライアンス領域の蓋部材への貼り付きを確実に抑制することができる。
【００３９】
［態様３１］また、態様２８〜態様３０の液体噴射ヘッドにおいて、前記島部材は、前記可撓部材と固定されていることが好ましい。これによれば、島部材の自重によってコンプライアンス領域を蓋部材側に引っ張ることができ、コンプライアンス領域のマニホールド内への変形量を大きく確保することができる。
【００４０】
［態様３２］また、態様３１の液体噴射ヘッドにおいて、前記マニホールド内に液体が充填されていない時において、前記島部材は、前記蓋部材と離間していることが好ましい。これによれば、搬送時等において、島部材と蓋部材とが当接するのを抑制して、結露等によって島部材と蓋部材とが貼り付くのを抑制することができる。
【００４１】
［態様３３］また、態様３１又は態様３２の液体噴射ヘッドにおいて、前記蓋部材のうち、前記島部材と対向する領域は、撥水処理されていることが好ましい。これによれば、結露等の水分が蓋部材に付着するのを抑制して、島部材と蓋部材とが水分によって貼り付くのを抑制することができる。
【００４２】
［態様３４］また、態様３３の液体噴射ヘッドにおいて、前記蓋部材のうち、前記島部材と対向しない領域は、撥水処理されていないことが好ましい。これによれば、蓋部材の撥水処理されていない領域に水分を保持することができ、撥水された領域に水分が付着するのをさらに抑制して、水分による島部材と蓋部材との貼り付きを抑制することができる。
【００４３】
［態様３５］また、態様３１〜態様３４の液体噴射ヘッドにおいて、前記蓋部材のうち、前記島部材と対向する領域は、前記島部材と対向しない領域よりも窪んでいることが好ましい。これによれば、島部材が蓋部材の窪んだ部分に当接し、コンプライアンス領域をさらに蓋部材側に変形させて変形量を増大させることができる。
【００４４】
［態様３６］また、態様２８〜態様３５の液体噴射ヘッドにおいて、前記島部材のうち、対向する部材と固定されていない側の面の少なくとも一部は撥水処理されていることが好ましい。これによれば、結露等の水分が島部材の固定されていない側の面に付着するのを抑制して、島部材と固定されていない部材との水分による貼り付きを抑制することができる。
【００４５】
［態様３７］また、態様２８〜態様３６の液体噴射ヘッドにおいて、前記島部材のうち、対向する部材と固定されない側の面は凹凸を有することが好ましい。これによれば、島部材と固定されていない部材との接触面積を減少させて、島部材と固定されていない部材との貼り付きを抑制することができる。
【００４６】
［態様３８］また、態様２８〜態様３７の液体噴射ヘッドにおいて、前記枠部材は、片持ち梁を有し、前記片持ち梁は、前記コンプライアンス領域の前記可撓部材と少なくとも一部で固定され、且つ、先端側には前記蓋部材と固定されない非固定領域を有し、前記島部材の厚みは、前記片持ち梁の前記非固定領域と同じ厚みであることが好ましい。これによれば、片持ち梁を設けることによって、コンプライアンス領域が変形し難くして、マニホールド内の圧力変化に応じてコンプライアンス領域が急激に変形し切ることによるコンプライアンス領域のばらつきを抑制して、液体の噴射特性のばらつきを抑制することができる。また、片持ち梁の非固定領域と島部材との厚さを同じ厚さとすることで、片持ち梁及び島部材を容易に形成することができる。
【００４７】
［態様３９］また、態様２８〜態様３８の液体噴射ヘッドにおいて、前記枠部材と前記島部材とは同じ材料で形成されていることが好ましい。これによれば、同じ材料によって枠部材と島部材とを同時に且つ容易に形成することができる。
【００４８】
［態様４０］さらに、態様２１〜態様３９の液体噴射ヘッドにおいて、本発明の他の態様は、上記態様の液体噴射ヘッドを具備することを特徴とする液体噴射装置にある。
かかる態様では、コンプライアンス領域の貼り付きを抑制して、コンプライアンス領域の貼り付きによる動作不良を低減した液体噴射装置を実現できる。
【図面の簡単な説明】
【００４９】
【図１】実施形態１に係る記録ヘッドの分解斜視図である。
【図２】実施形態１に係る記録ヘッドの平面図である。
【図３】実施形態１に係るコンプライアンス基板の平面図である。
【図４】実施形態１に係る記録ヘッドの断面図である。
【図５】実施形態１に係る記録ヘッドの要部断面図である。
【図６】実施形態１に係る記録ヘッドの要部断面図である。
【図７】実施形態１に係る記録ヘッドの比較例を示す要部断面図である。
【図８】実施形態１に係る記録ヘッドの要部断面図である。
【図９】実施形態１に係る記録ヘッドの変形例を示す要部断面図である。
【図１０】実施形態１に係る記録ヘッドの変形例を示す要部断面図である。
【図１１】実施形態１に係る記録ヘッドの変形例を示す要部断面図である。
【図１２】実施形態１に係る記録ヘッドの変形例を示す要部断面図である。
【図１３】実施形態１に係る記録ヘッドの変形例を示す要部断面図である。
【図１４】実施形態２に係るコンプライアンス基板の平面図である。
【図１５】実施形態２に係る記録ヘッドの断面図である。
【図１６】実施形態２に係る記録ヘッドの要部断面図である。
【図１７】実施形態２に係る記録ヘッドの要部断面図である。
【図１８】実施形態２に係る記録ヘッドの比較例を示す要部断面図である。
【図１９】実施形態２に係る圧力変動を示すグラフである。
【図２０】他の実施形態に係るインクジェット式記録装置の概略図である。
【発明を実施するための形態】
【００５０】
以下に本発明を実施形態に基づいて詳細に説明する。
（実施形態１）
図１は、本発明の実施形態１に係る液体噴射ヘッドの一例であるインクジェット式記録ヘッドの分解斜視図であり、図２は、インクジェット式記録ヘッドの平面図である。また、図３は、コンプライアンス基板の平面図であり、図４は図３のＡ−Ａ′線に準じた記録ヘッドの断面図であり、図５は図４の要部を拡大した断面図である。
【００５１】
図示するように、本実施形態のインクジェット式記録ヘッドＩＩ（以下、単に記録ヘッドＩＩとも言う）は、ヘッド本体１１、ヘッド本体１１の一方面側に固定されたケース部材４０、ヘッド本体１１の他方面側に固定されたカバーヘッド１３０等の複数の部材を備える。また、本実施形態のヘッド本体１１は、流路形成基板１０と、流路形成基板１０の一方面側に設けられた連通板１５と、連通板１５の流路形成基板１０とは反対面側に設けられたノズルプレート２０と、流路形成基板１０の連通板１５とは反対側に設けられた保護基板３０と、連通板１５のノズルプレート２０が設けられた面側に設けられたコンプライアンス基板４５と、を具備する。
【００５２】
ヘッド本体１１を構成する流路形成基板１０は、ステンレス鋼やＮｉなどの金属、ＺｒＯ２あるいはＡｌ２Ｏ３を代表とするセラミック材料、ガラスセラミック材料、ＭｇＯ、ＬａＡｌＯ３のような酸化物などを用いることができる。本実施形態では、流路形成基板１０は、シリコン単結晶基板からなる。この流路形成基板１０には、一方面側から異方性エッチングすることにより、複数の隔壁によって区画された圧力発生室１２がインクを吐出する複数のノズル２１が並設される方向に沿って並設されている。以降、この方向を圧力発生室１２の並設方向、又は第１の方向Ｘと称する。また、流路形成基板１０には、圧力発生室１２が第１の方向Ｘに並設された列が複数列、本実施形態では、２列設けられている。この圧力発生室１２が第１の方向Ｘに沿って形成された圧力発生室１２の列が複数列設された列設方向を、以降、第２の方向Ｙと称する。さらに、第１の方向Ｘ及び第２の方向Ｙの両方に交差する方向を第３の方向Ｚと称する。本実施形態では、第１の方向Ｘ、第２の方向Ｙ及び第３の方向Ｚは互いに直交する方向に交差しているが、もちろん、直交以外の方向に交差するようにしてもよい。
【００５３】
また、流路形成基板１０には、圧力発生室１２の第２の方向Ｙの一端部側に、当該圧力発生室１２よりも開口面積が狭く、圧力発生室１２に流入するインクの流路抵抗を付与する供給路等が設けられていてもよい。
【００５４】
また、流路形成基板１０の一方面側には、連通板１５と、ノズルプレート２０とが順次積層されている。すなわち、流路形成基板１０の一方面に設けられた連通板１５と、連通板１５の流路形成基板１０とは反対面側に設けられたノズル２１を有するノズルプレート２０と、を具備する。
【００５５】
連通板１５には、圧力発生室１２とノズル２１とを連通するノズル連通路１６が設けられている。連通板１５は、流路形成基板１０よりも大きな面積を有し、ノズルプレート２０は流路形成基板１０よりも小さい面積を有する。このように連通板１５を設けることによってノズルプレート２０のノズル２１と圧力発生室１２とを離せるため、圧力発生室１２の中にあるインクは、ノズル２１付近のインクで生じるインク中の水分の蒸発による増粘の影響を受け難くなる。また、ノズルプレート２０は圧力発生室１２とノズル２１とを連通するノズル連通路１６の開口を覆うだけで良いので、ノズルプレート２０の面積を比較的小さくすることができ、また、流路形成基板１０の面積を連通板１５より小さくできるので、コストの削減を図ることができる。なお、本実施形態では、ノズルプレート２０のノズル２１が開口されて、インク滴が吐出される面を液体噴射面２０ａと称する。
【００５６】
また、連通板１５には、マニホールド１００の一部を構成する第１マニホールド部１７と、第２マニホールド部１８とが設けられている。
第１マニホールド部１７は、連通板１５を厚さ方向（連通板１５と流路形成基板１０との積層方向）に貫通して設けられている。
また、第２マニホールド部１８は、連通板１５を厚さ方向に貫通することなく、連通板１５のノズルプレート２０側に開口して設けられている。
【００５７】
なお、マニホールド１００のノズルプレート２０側の開口形状は、第１の方向Ｘ及び第２の方向Ｙを含む面内方向において長手方向及び短手方向を有する。なお、マニホールド１００が長手方向及び短手方向を有するとは、マニホールド１００のノズルプレート２０側の開口の縦横比（アスペクト比）が１：１以外のものを言う。また、マニホールド１００の開口形状は特に限定されず、例えば、矩形状、台形状、平行四辺形状、多角形状、楕円形状等であってもよい。本実施形態では、流路形成基板１０に圧力発生室１２が第１の方向Ｘに並設されているため、各圧力発生室１２に連通する共通の液室であるマニホールド１００は、第１の方向Ｘに並設された圧力発生室１２に亘って、第１の方向Ｘが長手方向、つまり長尺となるように設け、第２の方向Ｙが短手方向、つまり短尺となるよう台形状に設けられている。そして、マニホールド１００のノズルプレート２０側の開口形状も同様に、第１の方向Ｘが長手方向で、第２の方向Ｙが短手方向となる台形状に設けられている。
【００５８】
さらに、連通板１５には、圧力発生室１２の第２の方向Ｙの一端部に連通する供給連通路１９が、各圧力発生室１２毎に独立して設けられている。この供給連通路１９は、第２マニホールド部１８と圧力発生室１２とを連通する。すなわち、本実施形態では、ノズル２１と第２マニホールド部１８と連通する個別流路として、供給連通路１９と、圧力発生室１２と、ノズル連通路１６と、が設けられている。
【００５９】
このような連通板１５としては、ステンレス鋼やニッケル（Ｎｉ）などの金属、またはジルコニウム（Ｚｒ）などのセラミックス等を用いることができる。なお、連通板１５は、流路形成基板１０と線膨張係数が同等の材料が好ましい。すなわち、連通板１５として流路形成基板１０と線膨張係数が大きく異なる材料を用いた場合、加熱や冷却されることで、流路形成基板１０と連通板１５との線膨張係数の違いにより反りが生じてしまう。本実施形態では、連通板１５として流路形成基板１０と同じ材料、すなわち、シリコン単結晶基板を用いることで、熱による反りや熱によるクラック、剥離等の発生を抑制することができる。
【００６０】
ノズルプレート２０には、各圧力発生室１２とノズル連通路１６を介して連通するノズル２１が形成されている。すなわち、ノズル２１は、同じ種類の液体（インク）を噴射するものが第１の方向Ｘに並設され、この第１の方向Ｘに並設されたノズル２１の列が第２の方向Ｙに２列形成されている。
【００６１】
このようなノズルプレート２０としては、例えば、ステンレス鋼（ＳＵＳ）等の金属、ポリイミド樹脂のような有機物、又はシリコン単結晶基板等を用いることができる。なお、ノズルプレート２０としてシリコン単結晶基板を用いることで、ノズルプレート２０と連通板１５との線膨張係数を同等として、加熱や冷却されることによる反りや熱によるクラック、剥離等の発生を抑制することができる。
【００６２】
一方、流路形成基板１０の連通板１５とは反対面側には、振動板５０が形成されている。本実施形態では、振動板５０として、流路形成基板１０側に設けられた酸化シリコンからなる弾性膜５１と、弾性膜５１上に設けられた酸化ジルコニウムからなる絶縁体膜５２と、を設けるようにした。なお、圧力発生室１２等の液体流路は、流路形成基板１０を一方面側（ノズルプレート２０が接合された面側）から異方性エッチングすることにより形成されており、圧力発生室１２等の液体流路の他方面は、弾性膜５１によって画成されている。
【００６３】
また、振動板５０の絶縁体膜５２上には、第１電極６０と、圧電体層７０と、第２電極８０とが、積層形成されて圧電アクチュエーター３００を構成している。ここで、圧電アクチュエーター３００は、第１電極６０、圧電体層７０及び第２電極８０を含む部分をいう。一般的には、圧電アクチュエーター３００の何れか一方の電極を共通電極とし、他方の電極及び圧電体層７０を各圧力発生室１２毎にパターニングして構成する。そして、ここではパターニングされた何れか一方の電極及び圧電体層７０から構成され、両電極への電圧の印加により圧電歪みが生じる部分を圧電体能動部という。本実施形態では、第１電極６０を圧電アクチュエーター３００の共通電極とし、第２電極８０を圧電アクチュエーター３００の個別電極としているが、駆動回路や配線の都合でこれを逆にしても支障はない。なお、上述した例では、第１電極６０が、複数の圧力発生室１２に亘って連続して設けられているため、第１電極６０が振動板の一部として機能するが、勿論これに限定されるものではなく、例えば、上述の弾性膜５１及び絶縁体膜５２を設けずに、第１電極６０のみが振動板として作用するようにしてもよい。また、圧電アクチュエーター３００自体が実質的に振動板を兼ねるようにしてもよい。ただし、流路形成基板１０上に直接第１電極６０を設ける場合には、第１電極６０とインクとが導通しないように第１電極６０を絶縁性の保護膜等で保護するのが好ましい。つまり、本実施形態では、基板（流路形成基板１０）上に振動板５０を介して第１電極６０を設けた構成を例示したが、特にこれに限定されるものではなく、振動板５０を設けずに第１電極６０を直接基板上に設けるようにしてもよい。すなわち、第１電極６０が振動板として作用するようにしてもよい。つまり、基板上とは、基板の直上も、間に他の部材が介在した状態（上方）も含むものである。
【００６４】
さらに、このような圧電アクチュエーター３００の個別電極である各第２電極８０には、供給連通路１９とは反対側の端部近傍から引き出され、振動板５０上にまで延設される、例えば、金（Ａｕ）等からなるリード電極９０が接続されている。
また、流路形成基板１０の圧力発生手段である圧電アクチュエーター３００側の面には、流路形成基板１０と略同じ大きさを有する保護基板３０が接合されている。保護基板３０は、圧電アクチュエーター３００を保護するための空間である保持部３１を有する。
【００６５】
また、このような構成のヘッド本体１１には、複数の圧力発生室１２に連通するマニホールド１００をヘッド本体１１と共に画成するケース部材４０が固定されている。ケース部材４０は、平面視において上述した連通板１５と略同一形状を有し、保護基板３０に接合されると共に、上述した連通板１５にも接合されている。具体的には、ケース部材４０は、保護基板３０側に流路形成基板１０及び保護基板３０が収容される深さの凹部４１を有する。この凹部４１は、保護基板３０の流路形成基板１０に接合された面よりも広い開口面積を有する。そして、凹部４１に流路形成基板１０等が収容された状態で凹部４１のノズルプレート２０側の開口面が連通板１５によって封止されている。これにより、流路形成基板１０の外周部には、ケース部材４０とヘッド本体１１とによって第３マニホールド部４２が画成されている。そして、連通板１５に設けられた第１マニホールド部１７及び第２マニホールド部１８と、ケース部材４０とヘッド本体１１とによって画成された第３マニホールド部４２と、によって本実施形態のマニホールド１００が構成されている。すなわち、マニホールド１００は、第１マニホールド部１７、第２マニホールド部１８及び第３マニホールド部４２を具備する。また、本実施形態のマニホールド１００は、第２の方向Ｙにおいて、２列の圧力発生室１２の両外側に配置されており、２列の圧力発生室１２の両外側に設けられた２つのマニホールド１００は、記録ヘッドＩＩ内では連通しないようにそれぞれ独立して設けられている。すなわち、本実施形態の圧力発生室１２の列（第１の方向Ｘに並設された列）毎に１つのマニホールド１００が連通して設けられている。
【００６６】
また、ケース部材４０には、マニホールド１００に連通して各マニホールド１００にインクを供給するための導入路４４が設けられている。また、ケース部材４０には、保護基板３０の貫通孔３２に連通して配線基板１２１が挿通される接続口４３が設けられている。
なお、接続口４３に挿通された配線基板１２１はリード電極９０と接続される。
また、配線基板１２１には、駆動回路１２０が設けられている。
【００６７】
なお、２つのマニホールド１００は、記録ヘッドＩＩの上流側、すなわち、詳しくは後述するマニホールド１００に連通する導入路４４に接続される上流流路で連通していてもよい。
【００６８】
このようなケース部材４０の材料としては、例えば、樹脂や金属等を用いることができる。ちなみに、ケース部材４０として、樹脂材料を成形することにより、低コストで量産することができる。
【００６９】
また、図３〜図５に示すように、連通板１５の第１マニホールド部１７及び第２マニホールド部１８が開口する面には、コンプライアンス基板４５が設けられている。このコンプライアンス基板４５は、平面視において上述した連通板１５と略同じ大きさを有し、ノズルプレート２０を露出する第１露出開口部４５ａが設けられている。そして、このコンプライアンス基板４５が第１露出開口部４５ａによってノズルプレート２０を露出した状態で、第１マニホールド部１７と第２マニホールド部１８の液体噴射面２０ａ側の開口を封止している。
【００７０】
すなわち、コンプライアンス基板４５がマニホールド１００の一部を画成している。このようなコンプライアンス基板４５は、可撓性を有する材料で形成された可撓部材４６と、可撓部材４６の連通板１５とは反対側に固定された枠部材４７と、を具備する。可撓部材４６は、可撓性を有するフィルム状の薄膜（例えば、ポリフェニレンサルファイド（ＰＰＳ）、芳香族ポリアミド（アラミド）等により形成された厚さが２０μｍ以下の薄膜）からなり、枠部材４７は、ステンレス鋼（ＳＵＳ）等の金属等の可撓部材４６に比べて硬質の材料で形成される。この枠部材４７のマニホールド１００に対向する領域は、厚さ方向に完全に除去された開口部４８となっているため、マニホールド１００の一方面は可撓性を有する可撓部材４６のみで封止されたコンプライアンス領域４９となっている。すなわち、枠部材４７に開口部４８を設けることで、可撓部材４６と蓋部材であるカバーヘッド１３０とを離間するためのコンプライアンス空間１３１を形成し、コンプライアンス空間１３１によって可撓部材４６の一部をコンプライアンス領域４９として変形可能としている。なお、本実施形態では、１つのマニホールド１００に対応して１つのコンプライアンス領域４９が設けられている。すなわち、本実施形態では、マニホールド１００が２つ設けられているため、ノズルプレート２０を挟んで第２の方向Ｙの両側に２つのコンプライアンス領域４９が設けられている。
【００７１】
なお、可撓部材４６と枠部材４７とは、例えば、可撓部材４６の一方面の全面に亘って接着剤を塗布して接着剤を形成した後、可撓部材４６の接着剤が形成された一方面に枠部材４７を接着することで形成することができる。したがって、図５に示すように、枠部材４７の開口部４８で露出されたコンプライアンス領域４９にも接着剤が硬化した接着層４６ａが形成されている。ちなみに、開口部４８内に接着層４６ａを形成しない構成、すなわち、接着層４６ａが形成された領域内にコンプライアンス領域４９を有さない構成は、接着剤の塗布範囲の管理が煩雑になり、枠部材４７と可撓部材４６とを接着する工程が複雑になってしまう。本実施形態のように、接着層４６ａが形成された領域にコンプライアンス領域４９を設けることで、接着剤の塗布範囲の管理が容易になり、枠部材４７と可撓部材４６よを接着する工程を簡略化することができる。つまり、本実施形態のように、接着層４６ａが形成された領域内にコンプライアンス領域４９を有する構成では、例えば、開口部４８が形成されていない枠部材４７となる板状部材と可撓部材４６とを接着剤で接着した後、板状部材をエッチングすることで開口部４８を有する枠部材４７を容易に且つ高精度に形成することも可能である。
【００７２】
ここで、開口部４８によって規定されるコンプライアンス領域４９は、図３に示すように、第１の方向Ｘ及び第２の方向Ｙにおいて、長手方向及び短手方向を有する。なお、コンプライアンス領域４９が長手方向及び短手方向を有するとは、コンプライアンス領域４９の縦横比（アスペクト比）が１：１以外のものを言う。また、コンプライアンス領域４９の形状は特に限定されず、例えば、矩形状、台形状、平行四辺形状、多角形状、楕円形状等であってもよい。本実施形態では、上述のようにマニホールド１００のコンプライアンス基板４５側の開口は、第１の方向Ｘに長手方向を有し、第２の方向Ｙに短手方向を有する台形状に設けられているため、コンプライアンス領域４９はマニホールド１００の開口形状と同様に、第１の方向Ｘに長手方向を有し、第２の方向Ｙに短手方向を有する台形状に設けられている。これにより、マニホールド１００の開口に対してできるだけ大きな面積でコンプライアンス領域４９を設けることができ、記録ヘッドＩＩの小型化を図ることができる。もちろん、コンプライアンス領域４９は、必ずしもマニホールド１００の開口形状と同じ形状で設ける必要はなく、マニホールド１００の開口形状と異なる形状で設けるようにしてもよい。
【００７３】
また、本実施形態では、コンプライアンス領域４９を規定する開口部４８の短手方向の壁面は、第３の方向Ｚにおいてマニホールド１００に相対向する位置に設けられている。すなわち、マニホールド１００の可撓部材４６に対向する面の開口であって、マニホールド１００を規定する開口の短手方向の壁面は第３の方向Ｚにおいて枠部材４７に相対向する位置に配置されている。これにより、連通板１５と可撓部材４６とを接合する際の荷重を枠部材４７で受けることができるため、連通板１５と可撓部材４６との接合を確実に行うことができる。したがって、連通板１５と可撓部材４６との接合時に荷重不足による隙間が発生し、気泡が引っかかる等の不具合が発生するのを抑制することができる。
【００７４】
また、図４及び図５に示すように、ヘッド本体１１の液体噴射面２０ａ側には、本実施形態の蓋部材であるカバーヘッド１３０が設けられている。
カバーヘッド１３０には、ノズル２１を露出する第２露出開口部１３２が設けられている。本実施形態では、第２露出開口部１３２は、ノズルプレート２０を露出する大きさ、つまり、コンプライアンス基板４５の第１露出開口部４５ａと略同じ開口を有する。
また、カバーヘッド１３０は、本実施形態では、ヘッド本体１１の側面（液体噴射面２０ａとは交差する面）を覆うように、液体噴射面２０ａ側から端部が屈曲して設けられている。
【００７５】
このようなカバーヘッド１３０は、コンプライアンス基板４５の連通板１５とは反対面側に接合されており、コンプライアンス領域４９の流路（マニホールド１００）とは反対側の空間を封止する。すなわち、蓋部材であるカバーヘッド１３０は、コンプライアンス領域４９との間にコンプライアンス空間１３１を配した状態でコンプライアンス領域４９を覆うように設けられている。このようにコンプライアンス領域４９を蓋部材であるカバーヘッド１３０で覆うことにより、コンプライアンス領域４９が紙等の被記録媒体が接触しても破壊されるのを抑制することができる。また、コンプライアンス領域４９にインク（液体）が付着するのを抑制して、カバーヘッド１３０の表面に付着したインク（液体）を例えばワイパーブレード等で払拭することができ、被記録媒体をカバーヘッド１３０に付着したインク等で汚すのを抑制することができる。
【００７６】
このようにコンプライアンス領域４９とカバーヘッド１３０との間に画成されたコンプライアンス空間１３１は、記録ヘッドＩＩの外部に大気開放されている。本実施形態では、各コンプライアンス領域４９の第１の方向Ｘの一方側に、枠部材４７を厚さ方向に貫通した貫通孔４８ａを設け、貫通孔４８ａを開口部４８と連通することで、コンプライアンス領域４９とカバーヘッド１３０との間のコンプライアンス空間１３１を、貫通孔４８ａを介して外部に大気開放している。なお、コンプライアンス領域４９とカバーヘッド１３０との間のコンプライアンス空間１３１に連通する貫通孔４８ａは、例えば、記録ヘッドＩＩの液体噴射面２０ａ側や、側面側、液体噴射面２０ａとは反対側（ケース部材４０側）などで大気開放すればよい。ただし、大気開放した開口からインクが流入し、大気開放路の閉塞やインクがコンプライアンス領域４９に付着するなどの不具合が生じる虞があることから、貫通孔４８ａに連通する大気開放路（図示なし）は、液体噴射面２０ａとは反対面側、すなわち、ケース部材４０側で外部に開口して大気開放するのが好ましい。ちなみに、貫通孔４８ａを大気開放するには、記録ヘッドＩＩを構成する部材（流路形成基板１０や連通板１５等）に溝や貫通孔などの大気開放路（図示なし）を設け、この大気開放路を介して外部と連通させればよい。本実施形態では、コンプライアンス領域４９毎に貫通孔４８ａを設け、貫通孔４８ａ毎に大気開放路（図示なし）を設けて、コンプライアンス領域４９毎に独立して大気開放するようにした。もちろん、コンプライアンス領域４９とカバーヘッド１３０との間の空間の大気開放は、これに限定されず、コンプライアンス領域４９とカバーヘッド１３０との間の２つの空間を連通させて共通する大気開放路を介して大気開放するようにしてもよい。
【００７７】
そして、図３、図４及び図５に示すように、コンプライアンス領域４９とカバーヘッド１３０との間のコンプライアンス空間１３１内には、島部材１４０が設けられている。島部材１４０は、枠部材４７とは不連続に設けられており、可撓部材４６と対向する側の面及びカバーヘッド１３０と対向する側の面の一方は、対向する部材と固定され、他方は対向する部材と固定されていない。すなわち、島部材１４０は、可撓部材４６及びカバーヘッド１３０の何れか一方に固定され、他方に固定されていない。本実施形態では、島部材１４０を可撓部材４６に固定し、カバーヘッド１３０に固定しないようにした。なお、島部材１４０と可撓部材４６との固定は、可撓部材４６のカバーヘッド１３０側に設けられた接着層４６ａによって行われる。
【００７８】
また、島部材１４０は、可撓部材４６とカバーヘッド１３０とが対向する方向、すなわち、第３の方向Ｚにおいて、枠部材４７の厚みよりも薄くなっている。
さらに、島部材１４０は、コンプライアンス領域４９の短手方向である第２の方向Ｙにおいて、当該第２の方向Ｙの中心をずらして配置されている。具体的には、本実施形態では、コンプライアンス領域４９において第２の方向Ｙの中心の両側にそれぞれ１つずつ、２つの島部材１４０を設けるようにした。また、第２の方向Ｙに並設された２つの島部材１４０は、長手方向である第１の方向Ｘに沿って所定の間隔で複数配置されている。
【００７９】
このようにコンプライアンス領域４９とカバーヘッド１３０との間のコンプライアンス空間１３１に、島部材１４０を設けることで、図６に示すように、コンプライアンス領域４９がカバーヘッド１３０側に撓み変形した際に、島部材１４０がカバーヘッド１３０に当接し、コンプライアンス領域４９がカバーヘッド１３０に当接することによる貼り付きを抑制することができる。なお、本実施形態では、第１の方向Ｘ及び第２の方向Ｙに複数の島部材１４０を並設することで、第１の方向Ｘ及び第２の方向Ｙの両方向においてコンプライアンス領域４９のカバーヘッド１３０への貼り付きを抑制することができる。
【００８０】
これに対して、図７（ａ）に示すように、島部材１４０を設けない場合には、コンプライアンス領域４９が撓むことによって、コンプライアンス領域４９がカバーヘッド１３０に接触して貼り付いてしまう。なお、コンプライアンス領域４９のカバーヘッド１３０への貼り付きは、例えば、コンプライアンス領域４９に設けられた接着層４６ａが高温・多湿の環境下で接着性が復活することで発生する。また、コンプライアンス領域４９に接着層４６ａが設けられていない場合であっても結露等によってコンプライアンス領域４９のカバーヘッド１３０への貼り付きが発生する。
【００８１】
なお、本実施形態では、図６に示すように、島部材１４０を設けても、コンプライアンス領域４９が第３の方向Ｚにおいて島部材１４０を超えてカバーヘッド１３０側に撓み変形する。これにより、コンプライアンス領域４９の変形によってマニホールド１００を増大させる容積Ｓ１を大きくすることができる。また、島部材１４０の厚さは、コンプライアンス領域４９が島部材１４０を超えてカバーヘッド１３０側に撓んだとしても、コンプライアンス領域４９がカバーヘッド１３０に接触しない程度の厚さとすればよい。
【００８２】
ちなみに、図７（ｂ）に示すように、島部材１１４０を枠部材４７と同じ厚さで設けた場合であっても、コンプライアンス領域４９のカバーヘッド１３０への接触による貼り付きを抑制することはできる。しかしながら、島部材１１４０によってコンプライアンス領域４９のカバーヘッド１３０側への移動がより規制されるため、コンプライアンス領域４９の撓み変形によるマニホールド１００を増大させる容積Ｓ２が不十分となってしまう。つまり、本実施形態では、島部材１４０の厚さを枠部材４７よりも薄くすることで、枠部材４７と同じ厚さの島部材１１４０を設けた場合のマニホールド１００を拡大可能な容積Ｓ２に比べて、広い容積Ｓ１の拡大を行うことができ、コンプライアンス領域４９のカバーヘッド１３０への貼り付きを抑制しつつマニホールド１００の容積の拡大を充分に行うことが可能となる。
【００８３】
このような記録ヘッドＩＩでは、一般的にノズル２１からインク滴の噴射が行われない、印刷待機状態では、マニホールド１００内のインクの圧力を、外部の圧力、すなわち大気圧よりも低い負圧として、ノズル２１からインクが滴り落ちるのを抑制している。このため、印刷待機状態では、マニホールド１００内のインクは負圧（大気圧を基準）となっており、コンプライアンス領域４９はカバーヘッド１３０とは反対側に撓み変形している。そして、印刷待機状態においてマニホールド１００内が負圧となり、インクの噴射が開始、すなわち印刷が開示されると、マニホールド１００内のインクは消費されてさらに負圧となる。本実施形態では、島部材１４０を設けることで、島部材１４０の重さによってコンプライアンス領域４９をカバーヘッド１３０側に引っ張ることができるため、マニホールド１００内への変形量を確実に確保して、マニホールド１００内のインクの圧力変動を吸収することができる。ちなみに、島部材１４０が可撓部材４６及びカバーヘッド１３０の両方に固定されていると、可撓部材４６のコンプライアンス領域４９が充分に撓み変形することができずに、マニホールド１００内のインクの圧力変動を吸収することができない。つまり、島部材１４０が可撓部材４６及びカバーヘッド１３０の両者と固定されていると、印刷開示直後に、コンプライアンス領域４９がマニホールド１００の内側に撓み切ってしまい、マニホールド１００内のインクが消費されることによる圧力変動をコンプライアンス領域４９が吸収することができない。その後、インクが上流側からマニホールド１００内に充填されることで、マニホールド１００内の圧力は一時的に正圧（大気圧を基準）となって、コンプライアンス領域４９は、カバーヘッド１３０側に撓み変形することもあるが、本実施形態では、上述したように、島部材１４０の厚さを枠部材４７よりも薄くすることで、枠部材４７と同じ厚さの島部材１１４０を設けた場合のマニホールド１００を拡大可能な容積Ｓ２に比べて、広い容積Ｓ１の拡大を行うことができ、コンプライアンス領域４９のカバーヘッド１３０への貼り付きを抑制しつつマニホールド１００の容積の拡大を充分に行うことが可能となる。また、このとき、インクが上流側からマニホールド１００内に充填されると共にマニホールド１００内にインクは噴射によって消費されるため、印刷開始直後と、印刷を開始してからある程度時間が経過した後とにおいて、マニホールド１００内のインクの圧力変動をコンプライアンス領域４９によって吸収する能力に差が生じ、印刷開始直後と印刷途中とにおいて、インクの噴射特性、特にインク滴の重量にばらつきが生じてしまう。また、インク噴射特性のばらつきを抑制するためにコンプライアンス領域４９をマニホールド１００内の圧力変動を吸収できる程度に大きくすると、記録ヘッドＩＩが大型化してしまう。本実施形態では、島部材１４０の一方面を可撓部材４６に固定し、他方面をカバーヘッド１３０と固定しないようにすることで、コンプライアンス領域４９はマニホールド１００内に大きく撓み変形することが可能となり、コンプライアンス領域４９のコンプライアンス機能が高く、印刷開始直後や印刷途中において、マニホールド１００内のインクの圧力変動の吸収を行うコンプライアンス機能に差が生じるのを抑制することができる。したがって、インク滴の噴射特性、特にインク滴の重量のばらつきを抑制して、印刷品質を向上することができる。また、コンプライアンス領域４９を大きくする必要がないため、記録ヘッドＩＩを小型化することができる。
【００８４】
また、島部材１４０を設けることで、可撓部材４６のコンプライアンス領域４９のカバーヘッド１３０側への変形は、島部材１４０がカバーヘッド１３０に当接することによって規制される。このため、コンプライアンス領域４９のマニホールド１００の内側への変形量は、カバーヘッド１３０側への変形量に比べて大きくなる。したがって、印刷待機状態や印刷時などにおいて、コンプライアンス領域４９がマニホールド１００内に大きく変形して、マニホールド１００内の圧力変動を充分に吸収することができる。
【００８５】
また、本実施形態では、島部材１４０をコンプライアンス領域４９の第２の方向Ｙの中心からずれた位置に設けるようにした。このため、特にコンプライアンス領域４９の変形量の大きい第２の方向Ｙの中心部分の変形を島部材１４０が阻害することがなく、コンプライアンス領域４９の変位量が低下するのを抑制することができる。すなわち、図８（ａ）、（ｂ）に示すように、島部材１４０をコンプライアンス領域４９の第２の方向Ｙの中心に設けた場合、コンプライアンス領域４９の最も変形量の大きい部分の変形が島部材１４０によって拘束されてしまい、コンプライアンス領域４９の変形量が低下してしまう。本実施形態では、図８（ａ）に示すように、コンプライアンス領域４９の第２の方向Ｙの中心からずれた位置に設けることで、コンプライアンス領域４９の変形量が低下するのを抑制することができる。また、島部材１４０を第２の方向Ｙの中心を挟むように両側に配置することで、中心をずらして片側に配置する場合に比べて、コンプライアンス領域４９のカバーヘッド１３０への張り付きを効果的に抑制することができる。
【００８６】
さらに、島部材１４０は、マニホールド１００内が大気圧の場合において、島部材１４０は、カバーヘッド１３０と離間していることが好ましい。すなわち、記録ヘッドＩＩが、ノズル２１を鉛直下側に向けて配置された際に、島部材１４０の自重によってコンプライアンス領域４９を鉛直下側に引き下げ、島部材１４０とカバーヘッド１３０とが当接していない位置及び大きさで設けられているのが好ましい。これにより、マニホールド１００内にインクを充填していない状態で記録ヘッドＩＩを搬送した場合などにおいて、島部材１４０がカバーヘッド１３０に結露等によって貼り付くのを抑制することができる。つまり、島部材１４０の自重によってコンプライアンス領域４９をカバーヘッド１３０側に引き下げたとしても、島部材１４０の厚さを枠部材４７よりも薄くすることで、島部材１４０がカバーヘッド１３０に接触し難くして、結露等によって島部材１４０がカバーヘッド１３０に貼り付くのを抑制することができる。
【００８７】
また、島部材１４０は、枠部材４７と同じ材料で形成することで、可撓部材４６、枠部材４７及び島部材１４０を有するコンプライアンス基板４５を容易に製造することができる。コンプライアンス基板４５の製造方法としては、例えば、可撓部材４６に枠部材４７及び島部材１４０となる板状部材を接合した後、板状部材をエッチングしてコンプライアンス基板４５を形成すれば、枠部材４７と島部材１４０とを同時に形成することが可能であり、容易に製造することができる。
【００８８】
なお、島部材１４０は、例えば、図９に示すように、固定されない側の面、すなわち、本実施形態では、カバーヘッド１３０に相対向する面が凹凸１４１を有するようにしてもよい。このように、島部材１４０に凹凸１４１を設けることで、島部材１４０とカバーヘッド１３０とが当接した際の接触面積を低減させて、両者の貼り付きを抑制することができる。なお、島部材１４０の凹凸１４１は、例えば、島部材１４０をウェットエッチング、ドライエッチングなどのエッチングや機械加工等によって形成してもよく、また、島部材１４０上に成膜等によって形成してもよい。ちなみに、島部材１４０に形成する凹凸１４１の表面粗さは、例えば、カバーヘッド１３０の島部材１４０が当接する表面粗さよりも粗くするのが好ましい。これにより、島部材１４０とカバーヘッド１３０との固着を抑制することができる。
【００８９】
また、島部材１４０は、例えば、図１０に示すように、固定されない側の面、すなわち、本実施形態では、カバーヘッド１３０に相対向する面に撥水膜１４２を設けるようにしてもよい。撥水膜１４２としては、撥水性を有するものであれば特に限定されず、例えば、フッ素系高分子を含む金属膜や、撥液性を有する金属アルコキシドの分子膜などを用いることができる。なお、撥水膜１４２は、島部材１４０側ではなく、カバーヘッド１３０側に設けるようにしてもよい。すなわち、例えば、図１１（ａ）に示すように、カバーヘッド１３０のコンプライアンス領域４９に相対向する面、つまり、コンプライアンス空間１３１内の表面に撥水膜１４３を設けるようにしてもよい。また、図１１（ｂ）に示すように、撥水膜１４３は、カバーヘッド１３０の島部材１４０が当接する領域のみに設け、島部材１４０が当接しない領域を撥水膜１４３が設けられていない非撥水領域１４４としてもよい。このように非撥水領域１４４を設けることで、コンプライアンス空間１３１内の水分が非撥水領域１４４に貯留されるため、島部材１４０と撥水膜１４３との間に水分が付着するのをさらに抑制することができる。
【００９０】
さらに、図１２（ａ）に示すように、カバーヘッド１３０の島部材１４０が当接する領域に、凹部１４５を設けるようにしてもよい。これにより、図１２（ｂ）に示すように、可撓部材４６のコンプライアンス領域４９がカバーヘッド１３０側に変形した際に、島部材１４０がカバーヘッド１３０と当接する位置を遠ざけて、コンプライアンス領域４９の変形量を増やし、マニホールド１００の容積をさらに増大させることができる。なお、カバーヘッド１３０に凹部１４５を設けた場合には、図１２（ａ）に示すように、カバーヘッド１３０の可撓部材４６と相対向する面とは反対面側に凹部１４５に合わせて凸部１４６を設けるようにしても良く、また、図１２（ｃ）に示すように、カバーヘッド１３０の可撓部材４６と相対向する面とは反対面側を凸部１４６が形成されていない平坦面としてもよい。図１２（ｃ）に示すように、カバーヘッド１３０の被噴射媒体側の面を平坦面とすることで、被噴射媒体が凸部１４６に引っかかることによる搬送不良、所謂紙ジャムを抑制することができる。
【００９１】
なお、上述した図９〜図１１を組み合わせるようにしてもよい。すなわち、島部材１４０に凹凸１４１及び撥水膜１４２を設けると共に、カバーヘッド１３０に撥水膜１４３を設けるようにしてもよい。また、さらに、図１２に示す凹部１４５等を組み合わせてもよい。
【００９２】
また、本実施形態では、島部材１４０を可撓部材４６に固定し、カバーヘッド１３０に固定しないようにしたが、特にこれに限定されず、図１３に示すように、島部材１４０をカバーヘッド１３０に固定し、可撓部材４６に固定しないようにしてもよい。ただし、島部材１４０をカバーヘッド１３０に固定した場合、可撓部材４６のコンプライアンス領域４９に接着層４６ａが形成されている構成では、コンプライアンス領域４９が接着層４６ａによって島部材１４０に貼り付いてしまう虞がある。しかしながら、たとえコンプライアンス領域４９が接着層４６ａによって島部材１４０に貼り付いたとしても、島部材１４０は面積が小さいため、比較的小さな力でコンプライアンス領域４９を島部材１４０から剥離することが可能である。もちろん、島部材１４０を可撓部材４６に固定すれば、上述した接着層４６ａによる貼り付きを確実に抑制することができる。
【００９３】
（実施形態２）
図１４は、本発明の実施形態２に係るインクジェット式記録ヘッドのコンプライアンス基板の平面図であり、図１５は、図１４のＢ−Ｂ′線に準じた断面図であり、図１６は、図１５の要部を拡大した断面図である。
図示するように、コンプライアンス領域４９とカバーヘッド１３０との間のコンプライアンス空間１３１には、上述した実施形態１と同様の島部材１４０と、片持ち梁１５０とが設けられている。
【００９４】
片持ち梁１５０は、可撓部材４６とカバーヘッド１３０との間のコンプライアンス空間１３１に設けられており、枠部材４７から第２の方向Ｙに向かって連続してコンプライアンス空間１３１内に突出するように設けられている。なお、本実施形態では、片持ち梁１５０の枠部材４７と連続する端部側を支点側と称し、コンプライアンス空間１３１内に突出した端部側を先端側と称する。本実施形態では、コンプライアンス空間１３１の第２の方向Ｙの両側の枠部材４７からコンプライアンス空間１３１の中心側に向かって突出するように設けられている。また、片持ち梁１５０は、第１の方向Ｘに間隔を空けて複数設けられている。
【００９５】
このような片持ち梁１５０は、コンプライアンス領域４９の可撓部材４６の少なくとも一部で固定され、先端側がカバーヘッド１３０と固定されない非固定領域となっている。
具体的には、片持ち梁１５０は、可撓部材４６に対向する面の全面が可撓部材４６に固定されている。本実施形態では、可撓部材４６の全面に亘って接着層４６ａが設けられているため、この接着層４６ａによって可撓部材４６と片持ち梁１５０とは接着されている。なお、片持ち梁１５０は、可撓部材４６と少なくとも一部で固定されていればよく、片持ち梁１５０が可撓部材４６と固定される部分は、先端側であっても支点側であってもよい。
【００９６】
また、片持ち梁１５０は、本実施形態では、片持ち梁１５０のカバーヘッド１３０と相対向する面において、先端側に第１切り欠き１５１を有する。これにより、片持ち梁１５０の支点側に比べて先端側の厚さを薄くするようにした。そして、片持ち梁１５０の第１切り欠き１５１を設けた部分を、カバーヘッド１３０と固定されない非固定領域とし、片持ち梁１５０の第１切り欠き１５１が設けられていない部分をカバーヘッド１３０と固定するようにした。すなわち、枠部材４７とカバーヘッド１３０とを接着剤で接着した際に、枠部材４７とカバーヘッド１３０との間からはみ出した接着剤が第１切り欠き１５１によって第１切り欠き１５１よりも支点側に留まり、接着剤が第１切り欠き１５１よりも先端側に流れ出るのを抑制することができる。これにより、片持ち梁１５０の非固定領域をばらつきなく形成することができる。ちなみに、第１切り欠き１５１を設けないようにしてもよいが、第１切り欠き１５１が設けられていない場合、枠部材４７とカバーヘッド１３０との間の接着剤の片持ち梁１５０上への流出量及び流出位置を制御するのは困難であり、非固定領域にばらつきが生じてしまう虞がある。本実施形態では、片持ち梁１５０に第１切り欠き１５１を設けて先端側の厚さを薄くすることで、接着剤の流れ出しを抑制して、非固定領域を容易に高精度に形成することができる。なお、接着剤の塗布領域や粘度を調整することで、第１切り欠き１５１を設けなくても接着剤のはみ出しを抑制して、非固定領域を規定することも可能である。また、片持ち梁１５０の第１切り欠き１５１よりも支点側は、カバーヘッド１３０と固定されていても、また固定されていなくてもよい。本実施形態では、片持ち梁１５０の第１切り欠き１５１よりも支点側は、カバーヘッド１３０と固定するようにした。
【００９７】
ここで、インクを噴射しない待機状態では、マニホールド１００内のインクの圧力は負圧（大気圧を基準）となっているため、図１７（ｂ）に示すように、可撓部材４６のコンプライアンス領域４９は、マニホールド１００の内側に向かって、すなわち、第３の方向Ｚにおいて、カバーヘッド１３０とは反対側に撓み変形する。このとき、コンプライアンス領域４９には片持ち梁１５０が設けられているため、片持ち梁１５０によってコンプライアンス領域４９の撓みは抑えられる。
【００９８】
そして、インクが噴射されてマニホールド１００内の圧力がさらに負圧となると、図１７（ｃ）に示すように、可撓部材４６のコンプライアンス領域４９は、片持ち梁１５０を弾性変形させてさらにマニホールド１００の内側に突出するように撓み変形する。このように、片持ち梁１５０が設けられたコンプライアンス領域４９によって印刷開始時及び印刷途中においてマニホールド１００内のインクの圧力変動を吸収することができるため、印刷中のインクの噴射特性、特にインク滴の重量のばらつきを抑制して印刷品質を向上することができる。
【００９９】
これに対して、例えば、片持ち梁１５０を設けていない場合、図１８（ｂ）に示すように、印刷待機状態においてコンプライアンス領域４９がマニホールド１００の内側に撓み切ってしまっていると、インクの噴射を開始した際に、マニホールド１００内のインクが消費されることによる圧力変化に対応してコンプライアンス領域４９が充分に撓むことができない。また、インクの噴射によってマニホールド１００内のインクの消費が行われると、上流側からマニホールド１００内にインクが供給されるが、インクの供給によるマニホールド１００内のインクの圧力変化は遅延する。したがって、インクの噴射を開始直後と、インクの噴射がある程度経過した後とにおいて、マニホールド１００内のインクの圧力変動がコンプライアンス領域４９によって吸収されずに、インクの噴射特性、特にインク滴の重量にばらつきが生じてしまう。
【０１００】
ここで、待機状態からインクの噴射を開始した際のマニホールド１００内の圧力変動、すなわち、インク滴の重量と時間との関係の一例を図１９のグラフに示す。なお、図１９において、片持ち梁を設けた実施例を実線、片持ち梁を設けていない比較例を破線で示している。
【０１０１】
図１９に示すように、片持ち梁１５０を設けていない比較例の場合、インクの噴射開始直後のＴ１において、マニホールド１００内のインクが消費されるもののコンプライアンス領域４９が圧力変動を吸収できないことから、マニホールド１００内が大きく負圧となる。これにより、Ｔ１では、噴射されるインク滴の重量が小さくなり印刷濃度が薄くなる。そして、その後のＴ２では、上流側からマニホールド１００内にインクが供給される反動によって一時的にマニホールド１００内の圧力は正圧となる。これにより、Ｔ２では、インク滴の重量が大きくなり印刷濃度が濃くなる。その後、Ｔ３においてコンプライアンス領域４９がマニホールド１００内のインクの圧力変動を吸収して、マニホールド１００内の圧力が安定し、インク滴の重量が中間すなわち、印刷濃度が中間となる。
【０１０２】
これに対して、片持ち梁１５０を設けた実施例の場合、マニホールド１００内の圧力変動をコンプライアンス領域４９が吸収することができるため、Ｔ１、Ｔ２、Ｔ３においてマニホールド１００内のインク圧力の差を低減して、インク滴の重量の差を比較例に比べて小さくすることができる。したがって、片持ち梁１５０を設けることによって、噴射されるインク滴の重量のばらつきを抑制して、印刷品質を向上することができる。
【０１０３】
ちなみに、可撓部材４６として変形し難い材料、例えば、可撓部材４６の厚さを厚くすることや、厚さを変更することなく可撓部材４６を変形し難い材料で形成することも考えられるものの、可撓部材４６が撓み難くなることで、コンプライアンス能力が低下してしまうと共に、マニホールド１００内のインクの圧力変動に対するコンプライアンス領域４９の撓み変形の反応性が低下し、インク滴の噴射特性にばらつきが生じてしまう虞があるため好ましくない。本実施形態では、片持ち梁１５０を設けることで、撓み易い可撓部材４６を用いて、コンプライアンス領域４９の反応性を低下させることなく、インク滴の噴射特性のばらつきを抑制することができる。
【０１０４】
また、本実施形態では、第２の方向Ｙの両側から突出した片持ち梁１５０は、先端同士が所定の間隔を空けて第２の方向Ｙで相対向しているため、片持ち梁１５０を設けても、可撓部材４６のコンプライアンス領域４９の変形を阻害するのをできるだけ抑制することができる。すなわち、第２の方向Ｙの両側から突出した片持ち梁１５０の先端同士を連続させて、片持ち梁１５０ではなく、両持ち梁（両端固定梁）を設けた場合、両持ち梁によってコンプライアンス領域４９の変形が著しく阻害され、コンプライアンス領域４９による圧力変動の吸収が充分に行われなくなってしまう虞がある。
【０１０５】
また、片持ち梁１５０を設けることによっても、可撓部材４６のコンプライアンス領域４９が、カバーヘッド１３０側に移動した際に、カバーヘッド１３０側への移動が片持ち梁１５０によって規制される。したがって、可撓部材４６のコンプライアンス領域４９がカバーヘッド１３０に当接することによる貼り付きを抑制することができる。
【０１０６】
（他の実施形態）
以上、本発明の各実施形態について説明したが、本発明の基本的な構成は上述したものに限定されるものではない。
例えば、上述した各実施形態では、２つのマニホールド１００を設け、各マニホールド１００毎にコンプライアンス領域４９を設けた構造を例示したが、特にこれに限定されるものではなく、第１の方向Ｘにおいて、複数に区分けされたマニホールド１００を設けるようにしてもよい。
【０１０７】
また、上述した実施形態１及び２では、島部材１４０をコンプライアンス領域４９の第２の方向Ｙにおける中心から外れた位置に配置するようにしたが、もちろん、これに限定されず、図８（ａ）に示すように、島部材１４０をコンプライアンス領域４９の第２の方向Ｙの中心に配置してもよい。
【０１０８】
さらに、上述した各実施形態では、コンプライアンス基板４５をノズルプレート２０が設けられた面側に設けるようにしたが、特にこれに限定されず、例えば、コンプライアンス基板４５がケース部材４０側や液体噴射面２０ａと交差する側面等に設けられていてもよい。すなわち、蓋部材とは、コンプライアンス基板４５のコンプライアンス領域４９との間にコンプライアンス空間１３１を画成するものであればよいため、上述したカバーヘッド１３０に限定されるものではなく、その他の部材であってもよい。
【０１０９】
また、上述した各実施形態では、圧力発生室１２に圧力変化を生じさせる圧力発生手段として、薄膜型の圧電アクチュエーター３００を用いて説明したが、特にこれに限定されず、例えば、グリーンシートを貼付する等の方法により形成される厚膜型の圧電アクチュエーターや、圧電材料と電極形成材料とを交互に積層させて軸方向に伸縮させる縦振動型の圧電アクチュエーターなどを使用することができる。また、圧力発生手段として、圧力発生室内に発熱素子を配置して、発熱素子の発熱で発生するバブルによってノズルから液滴を吐出するものや、振動板と電極との間に静電気を発生させて、静電気力によって振動板を変形させてノズルから液滴を吐出させるいわゆる静電式アクチュエーターなどを使用することができる。
【０１１０】
また、これら各実施形態のインクジェット式記録ヘッドＩＩは、インクカートリッジ等と連通するインク流路を具備するインクジェット式記録ヘッドユニットの一部を構成して、インクジェット式記録装置に搭載される。図２０は、そのインクジェット式記録装置の一例を示す概略図である。
【０１１１】
図２０に示すインクジェット式記録装置Ｉにおいて、複数のインクジェット式記録ヘッドＩＩを有するインクジェット式記録ヘッドユニット１（以下、ヘッドユニット１とも言う）は、インク供給手段を構成するインクカートリッジ２が着脱可能に設けられ、このヘッドユニット１を搭載したキャリッジ３は、装置本体４に取り付けられたキャリッジ軸５に軸方向移動自在に設けられている。この記録ヘッドユニット１は、例えば、それぞれブラックインク組成物及びカラーインク組成物を吐出するものとしている。
【０１１２】
そして、駆動モーター６の駆動力が図示しない複数の歯車およびタイミングベルト７を介してキャリッジ３に伝達されることで、記録ヘッドユニット１を搭載したキャリッジ３はキャリッジ軸５に沿って移動される。一方、装置本体４には搬送手段としての搬送ローラー８が設けられており、紙等の記録媒体である記録シートＳが搬送ローラー８により搬送されるようになっている。なお、記録シートＳを搬送する搬送手段は、搬送ローラー８に限定されずベルトやドラム等であってもよい。
【０１１３】
なお、上述したインクジェット式記録装置Ｉでは、インクジェット式記録ヘッドＩＩ（ヘッドユニット１）がキャリッジ３に搭載されて主走査方向に移動するものを例示したが、特にこれに限定されず、例えば、インクジェット式記録ヘッドＩＩが固定されて、紙等の記録シートＳを副走査方向に移動させるだけで印刷を行う、所謂ライン式記録装置にも本発明を適用することができる。
【０１１４】
また、上述した例では、インクジェット式記録装置Ｉは、液体貯留手段であるインクカートリッジ２がキャリッジ３に搭載された構成であるが、特にこれに限定されず、例えば、インクタンク等の液体貯留手段を装置本体４に固定して、貯留手段とインクジェット式記録ヘッドＩＩとをチューブ等の供給管を介して接続してもよい。また、液体貯留手段がインクジェット式記録装置に搭載されていなくてもよい。
【０１１５】
さらに、本発明は、広く液体噴射ヘッド全般を対象としたものであり、例えば、プリンター等の画像記録装置に用いられる各種のインクジェット式記録ヘッド等の記録ヘッド、液晶ディスプレイ等のカラーフィルターの製造に用いられる色材噴射ヘッド、有機ＥＬディスプレイ、ＦＥＤ（電界放出ディスプレイ）等の電極形成に用いられる電極材料噴射ヘッド、バイオｃｈｉｐ製造に用いられる生体有機物噴射ヘッド等にも適用することができる。
【符号の説明】
【０１１６】
Ｉ…インクジェット式記録装置（液体噴射装置）、ＩＩ…インクジェット式記録ヘッド（液体噴射ヘッド）、１…インクジェット式記録ヘッドユニット（液体噴射ヘッドユニット）、１０…流路形成基板、１１…ヘッド本体、１５…連通板、２０…ノズルプレート、２０ａ…液体噴射面、２１…ノズル、３０…保護基板、４０…ケース部材、４５…コンプライアンス基板、４６…可撓部材、４７…枠部材、４８…開口部、４９…コンプライアンス領域、５０…振動板、６０…第１電極、７０…圧電体層、８０…第２電極、１００…マニホールド、１２０…駆動回路、１３０…カバーヘッド（蓋部材）、１３１…コンプライアンス空間、１４０…島部材、１４１…凹凸、１４２、１４３…撥水膜、１４４…非撥水領域、１４５…凹部、１４６…凸部、１５０…片持ち梁、１５１…第１切り欠き
【図１】
0006390851.tif 000002
【図２】
0006390851.tif 000003
【図３】
0006390851.tif 000004
【図４】
0006390851.tif 000005
【図５】
0006390851.tif 000006
【図６】
0006390851.tif 000007
【図７】
0006390851.tif 000008
【図８】
0006390851.tif 000009
【図９】
0006390851.tif 000010
【図１０】
0006390851.tif 000011
【図１１】
0006390851.tif 000012
【図１２】
0006390851.tif 000013
【図１３】
0006390851.tif 000014
【図１４】
0006390851.tif 000015
【図１５】
0006390851.tif 000016
【図１６】
0006390851.tif 000017
【図１７】
0006390851.tif 000018
【図１８】
0006390851.tif 000019
【図１９】
0006390851.tif 000020
【図２０】
0006390851.tif 000021